(57)【特許請求の範囲】
【請求項１】
内部に配電線路の地絡事故等の故障を検知する低圧回路よりなる検知手段を有するケース入り開閉器本体と、
前記検知手段の検知信号に基づき、同ケース入り開閉器本体のトリップ動作を制御する制御装置とから構成されるケース入り開閉器において、
前記開閉器本体内の底部に、低圧回路上の非水密状に形成される接続部或いは導電部露出箇所を設け、
前記開閉器本体内の低圧回路と制御線を介して接続された前記制御装置内に、同開閉器本体内の絶縁抵抗測定を行う絶縁監視回路を設け、
前記接続部或いは導電部露出箇所とアースとの間に前記絶縁監視回路を接続し、
同絶縁監視回路の絶縁抵抗測定により絶縁レベルが設定値以下になると、前記制御装置内に設けた警報回路による警報表示を行わせると共に、前記制御装置内に設けたトリップ回路による前記開閉器本体のトリップ動作を阻止するようにしたケース入り開閉器の絶縁劣化検出方法。
【請求項２】
前記開閉器本体をトリップ動作させるトリップコイルと前記トリップ回路との間にトリップ阻止リレーを設け、同トリップ阻止リレーを開放することにより前記開閉器本体のトリップ動作を阻止するようにした請求項１に記載のケース入り開閉器の絶縁劣化検出方法。
【請求項３】
前記絶縁レベルの設定値は１ＭΩである請求項１又は請求項２に記載のケース入り開閉器の絶縁劣化検出方法。
【発明の詳細な説明】
【０００１】
【発明の属する技術分野】
本発明は、配電線に発生した地絡電流等を検出し、制御装置にて開閉器を自動トリップ（開放）するようにした例えばＳＯＧ機能付きケース入り開閉器等の絶縁劣化検出方法に関するものである。
【０００２】
【従来の技術】
従来より、柱上気中開閉器は電柱上部に設けられた腕金に固定されて屋外に設置されている。このため、前記開閉器は、長期間の使用による発錆やパッキンの劣化等による気密不良から内部が結露したり、浸水等で水が溜まったりして開閉器内部が絶縁劣化状態となる場合がある。開閉器内部が絶縁劣化状態となると短絡故障又は地絡故障等の各種事故の発生原因となるため、定期的な開閉器の内部絶縁劣化状態の点検が行われている。前記内部絶縁劣化状態の点検としては、開閉器外観の目視点検、開閉器の高圧主回路部の絶縁抵抗測定及び耐電圧試験等が実施されている。
【０００３】
【発明が解決しようとする課題】
ところが、地上からの外観目視点検では開閉器上部の錆等の確認が困難であった。また、高圧主回路部の絶縁抵抗測定及び耐電圧試験を実施する場合には停電させることが必要となるために大掛かりな作業となる。さらに、前記絶縁抵抗測定や耐電圧測定を実施しても、ある程度の絶縁性能が維持されている場合には内部浸水状態であっても異常判定とならない場合があった。従って、開閉器の気密劣化による開閉器内部の結露や浸水等を地上から確認、判定することが困難であった。
【０００４】
本発明は上記問題点を解決するためになされたものであって、その第一の目的は、開閉器の気密不良及びそれに伴う絶縁劣化状態を地上から容易に確認することができるケース入り開閉器の絶縁劣化検出方法を提供することにある。
【０００５】
第二の目的は、開閉器の安全性をより向上させることができるケース入り開閉器の絶縁劣化検出方法を提供することにある。
第三の目的は、既設の制御装置を利用して開閉器の絶縁劣化状態を容易に検出できるケース入り開閉器の絶縁劣化検出方法を提供することにある。
【０００６】
【課題を解決するための手段】
請求項１に記載の発明は、内部に配電線路の地絡事故等の故障を検知する低圧回路よりなる検知手段を有するケース入り開閉器本体と、前記検知手段の検知信号に基づき、同ケース入り開閉器本体のトリップ動作を制御する制御装置とから構成されるケース入り開閉器において、前記開閉器本体内の底部に、低圧回路上の非水密状に形成される接続部或いは導電部露出箇所を設け、前記開閉器本体内の低圧回路と制御線を介して接続された前記制御装置内に、同開閉器本体内の絶縁抵抗測定を行う絶縁監視回路を設け、前記接続部或いは導電部露出箇所とアースとの間に前記絶縁監視回路を接続し、同絶縁監視回路の絶縁抵抗測定により絶縁レベルが設定値以下になると、前記制御装置内に設けた警報回路による警報表示を行わせると共に、前記制御装置内に設けたトリップ回路による前記開閉器本体のトリップ動作を阻止するようにしたことをその要旨とする。
【０００７】
請求項２に記載の発明は、請求項１に記載の発明において、前記開閉器本体をトリップ動作させるトリップコイルと前記トリップ回路との間にトリップ阻止リレーを設け、同トリップ阻止リレーを開放することにより前記開閉器本体のトリップ動作を阻止するようにしたことをその要旨とする。
【０００８】
請求項３に記載の発明は、請求項１又は請求項２に記載の発明において、前記絶縁レベルの設定値は１ＭΩであることをその要旨とする。
【００１３】
【発明の実施の形態】
以下、本発明を具体化した一実施形態を図１及び図２に従って説明する。
図２に示すように、電柱１０の上部には腕金１１が設けられており、同腕金１１には手動操作ハンドルＨを有したケース入り開閉器本体１２が固定されている。前記電柱１０の下部にはケース入り開閉器本体１２の制御装置としての地絡継電器１３が設けられている。前記ケース入り開閉器本体１２と地絡継電器１３とは制御線１４を介して接続されている。
【００１４】
図１に示すように、ケース入り開閉器本体１２はＳＯＧ機能付き（過電流蓄勢トリップ付き地絡トリップ形）高圧気中開閉器であり、同ケース入り開閉器本体１２のケース１２Ａは第一種接地が為されている。前記ケース入り開閉器本体１２内のＵ相、Ｖ相及びＷ相からなる各相の配電線１５上には手動操作ハンドルＨ等によって開閉動作される開閉部１６が設けられており、同開閉部１６内には複数の開閉スイッチ１７が設けられている。
【００１５】
前記開閉部１６には同開閉部１６の開閉スイッチ１７を自動でトリップ動作させるためのトリップコイル１８が機械的に連結されており、同トリップコイル１８は、配電線１５上における開閉部１６の負荷側に設けられている過電流リレー（ＯＣＲ）１９に接続されている。尚、前記トリップ動作とは、例えば地絡事故が発生した場合、配電線１５に流れる地絡電流を検出し、整定値以上であれば自動的に開閉部１６内の開閉スイッチ１７を瞬時に離間（開放）させる動作のことである。
【００１６】
前記配電線１５上における電源側には、Ｕ相、Ｖ相及びＷ相の零相電流を検出するための貫通型の零相変流器（ＺＣＴ）２０が設けられている。前記零相変流器２０には鉄心（図示略）が設けられており、同鉄心の周囲には地絡特性試験時において、零相変流器２０に対して地絡試験電流を流すための試験線２１が巻回されている。また、前記鉄心には鉄心窓が貫通形成されており、同鉄心窓にはケーブル等が挿入される。尚、前記過電流リレー１９及び零相変流器２０により配電線１５上の過電流及び零相電流を検知するための検知手段が構成されている。
【００１７】
一方、制御装置としての地絡継電器１３には、トリップ電流出力端子Ｖａ、過電流検出端子Ｖｂ, Ｖｃ、地絡電流検出端子Ｚ１, Ｚ２、地絡試験電流入出力端子Ｋｔ, Ｌｔ、制御電源用端子Ｐ１, Ｐ２、アース端子Ｅが設けられている。
【００１８】
前記地絡継電器１３の内部には、過電流リレー１９から出力される過電流を検知する過電流検出回路２２、トリップコイル１８にトリップ信号を出力し、ケース入り開閉器本体１２をトリップ動作させるトリップ回路２３、零相変流器２０から出力される地絡電流を検知する地絡検出回路２４、ケース入り開閉器本体１２内部の絶縁劣化状態を常時監視する絶縁抵抗測定装置としての絶縁監視回路２５、絶縁監視回路２５と連動してケース入り開閉器本体１２内部の絶縁劣化が著しい場合に警報やランプを動作させる警報表示回路２６、遠隔地等に絶縁劣化状況を報知する警報出力回路２７、及び配電線路の停電状態を検知するための無電圧検出回路２８が設けられている。
【００１９】
過電流検出回路２２は制御線ｂ, ｃ及び過電流検出端子Ｖｂ, Ｖｃを介して過電流リレー１９に接続されており、過電流リレー１９から出力される過電流を検出する。また、前記トリップ回路２３はトリップ電流出力端子Ｖａ、制御線ａ及びマイクロスイッチＭを介してトリップコイル１８に接続されている。尚、マイクロスイッチＭは開閉部１６の開閉動作に連動しており、開閉部１６の開放動作にて回路を開放するようになっている。
【００２０】
前記過電流検出回路２２は過電流リレー１９から出力される過電流を検出すると、ケース入り開閉器本体１２の地絡事故トリップ動作をロックするためにトリップ回路２３からのトリップ信号出力を停止するようになっている。この場合、ケース入り開閉器本体１２は無電圧検出回路２８による配電線路の停電状態を確認し、その後前記ロックを解除してトリップ回路２３からのトリップ信号を出力して開閉部１６をトリップするようになっている。
【００２１】
地絡検出回路２４は地絡電流検出端子Ｚ１, Ｚ２及び制御線ｄ, ｅを介して零相変流器２０に接続されており、零相変流器２０から出力される地絡電流を検出できるようになっている。また、前記地絡検出回路２４はトリップ回路２３に電気的に接続されている。
【００２２】
前記地絡検出回路２４は地絡電流を検出すると、地絡検出信号をトリップ回路２３に出力し、同トリップ回路２３は地絡検出信号を検出すると直ちにトリップコイル１８を励磁し、ケース入り開閉器本体１２の開閉部１６を開放するようになっている。
【００２３】
試験線２１は地絡試験電流入出力端子Ｋｔ, Ｌｔに接続されている。通常、前記試験線２１は未使用状態であり、配線のみがケース入り開閉器本体１２本体の零相変流器２０の鉄心窓に挿入されて貫通している。即ち、前記試験線２１及び地絡試験電流入出力端子Ｋｔ, Ｌｔは地絡特性試験時において、地絡試験電流を流される場合においてのみ使用される。
【００２４】
制御電源用端子Ｐ１, Ｐ２は外部の制御電源（ＡＣ１００Ｖ）Ｐに接続されており、同制御電源用端子Ｐ１は制御電源Ｐ側、制御電源用端子Ｐ２はアース側に接続されている。また、前記制御電源用端子Ｐ１, Ｐ２は地絡継電器１３に設けられている他端子、即ち、低圧回路としての試験電流入出力端子Ｋｔ, Ｌｔ、地絡電流検出端子Ｚ１, Ｚ２、トリップ電流出力端子Ｖａ、過電流検出端子Ｖｂ, Ｖｃ及びアース端子Ｅとは直接接続されていない。また、アース端子Ｅは制御線ｆを介してケース入り開閉器本体１２のケース１２Ａに接続されている。
【００２５】
前記絶縁監視回路２５はリード線ｇ, ｈ, ｉ, ｊを介して制御線ｂ, ｃ, ａ及び試験線２１における地絡電流検出端子Ｚ２接続側の途中にそれぞれ接続されていると共に、リード線ｋを介してアース端子Ｅに接続されている。即ち、前記絶縁監視回路２５は、低圧回路（トリップコイル１８、過電流リレー１９、零相変流器２０、及び試験線２１等）及びケース入り開閉器本体１２のケース１２Ａ（アース）に接続されており、低圧回路の絶縁レベルをアースに対して測定できるようになっている。
【００２６】
具体的に言えば、端子Ｖａ, Ｖｂ, Ｖｃ, Ｌｔ−アース端子Ｅ間にそれぞれ試験電圧を印加して、各制御線ａ, ｂ, ｃ及び試験線２１のケース２１Ａの内部に位置する接続部、即ち絶縁圧着中間スリーブＳ及び導体が露出するマイクロスイッチＭ等の導電部露出箇所としての端子部を介してケース１２Ａ（アース）間の漏れ電流の大きさを検出することによって、低圧回路−アース間の絶縁レベルを測定する。尚、前記絶縁圧着中間スリーブＳ及びマイクロスイッチＭ等の端子部は非水密状に構成されている。
【００２７】
前記ケース入り開閉器本体１２の本体内部に設けられた低圧回路の絶縁レベルは、ケース入り開閉器本体１２内部の結露や浸水等によって大きく影響を受ける性質を有しており、同ケース入り開閉器本体１２内部において結露や浸水等が発生した場合、前記絶縁圧着中間スリーブＳについては、スリーブ外周が絶縁チューブにて覆われているが水密形成とはなっておらず、水分の付着にて導体が露出した状態となると共に、マイクロスイッチＭにあっては接続端子等の導体が露出していることにより、水分を介して低圧回路の絶縁レベルは変化する。
【００２８】
そして、前述のようなケース入り開閉器本体１２の性質を利用して、低圧回路のアースに対する絶縁レベルを常時監視することによって気密不良によるケース入り開閉器本体１２内部の結露や浸水等を容易に検出することができるようになっている。特に、前記絶縁圧着中間スリーブＳ等の低圧回路自体がケース１２Ａの底部に位置することより、結露や浸水等での水分が溜まりやすい箇所であるため、絶縁レベルの検知には最適位置となる。
【００２９】
前記絶縁監視回路２５はリード線ｌ, ｍを介して警報表示回路２６及び警報出力回路２７にそれぞれ接続されており、絶縁監視回路２５は低圧回路のケース１２Ａに対する絶縁レベルが第一の設定値（本実施形態においては、１０ＭΩ）以下になった場合、警報表示回路２６及び警報出力回路２７に第一の絶縁レベル低下信号を出力するようになっている。
【００３０】
前記警報表示回路２６は第一の絶縁レベル低下信号を検出すると、警報を鳴らしたりランプを点灯させたりするようになっており、これによって外部にケース入り開閉器本体１２内部の絶縁劣化状態を報知するようになっている。前記警報出力回路２７は第一の絶縁レベル低下信号を検出すると、警報出力信号を遠隔地の管理センター等に出力してケース入り開閉器本体１２内部の絶縁レベル低下を報知するようになっている。尚、前記警報表示回路２６及び警報出力回路２７により警報回路が構成されている。
【００３１】
また、前記絶縁監視回路２５は低圧回路−アース間の絶縁レベルが第二の設定値（本実施形態においては１ＭΩ）以下になった場合、第２の絶縁レベル低下信号を出力する。この信号の出力は、前記トリップ回路２３とトリップコイル１８とを結ぶ制御線ａ上に設けたトリップ阻止リレー（ｂ接点）２９を開放し、このトリップ動作を阻止するようになっている。この動作により絶縁劣化状態での開閉部１６の開放動作を阻止し、開閉動作に伴う内部短絡事故等への事故波及を防止できる。このとき、警報表示回路２６と警報出力回路２７とは、前述の第一の絶縁レベル低下信号を検出したときと同様の動作をし、ケース入り開閉器本体１２内部の絶縁劣化状態を外部に報知する。尚、前記絶縁監視回路２５における絶縁レベルの第一の設定値及び第二の設定値は任意に変更できる。
【００３２】
図３に示すように、ケース入り開閉器本体１２の気密不良状況における低圧回路の絶縁レベルは、正常時においては１００ＭΩ以上、内部結露時においては１０〜１００ＭΩ以下、内部浸水時においては、１０ＭΩ以下、内部浸水の浸水が低圧線（リード線ａ, ｂ, ｃ等）に達している場合においては１ＭΩ以下となることが調査により判明している。
【００３３】
次に、前記ケース入り開閉器本体１２の動作について説明する。
負荷側の配電線１５に地絡事故が発生した場合には、零相変流器２０が地絡電流を検出し、同地絡電流は地絡検出回路２４に対して出力される。すると、前記地絡検出回路２４はトリップ回路２３に地絡検出信号を出力し、同地絡検出信号を検知したトリップ回路２３はトリップコイル１８にトリップ信号を出力する。そして、前記トリップコイル１８はトリップ電流によって励磁されケース入り開閉器本体１２の開閉部１６をトリップ（開放）させる。
【００３４】
前記地絡検出信号出力時において、配電線１５のＵ相又はＷ相にロック電流値以上の過電流が発生した場合（過電流事故が発生した場合）には、過電流リレー１９が動作して過電流が過電流検出回路２２に出力される。前記過電流検出回路２２は過電流を検知すると、過電流検出信号をトリップ回路２３へ出力し、前記地絡検出信号に基づくトリップ動作は阻止されると共に、地絡継電器１３内の過電流蓄勢回路（図示略）により過電流事故が記憶される。そして、電源側の電力ヒューズ等の遮断装置（図示略）が遮断し配電線１５が停電して制御電源が無くなった後、即ち、配電線１５が無充電状態になった後、前記過電流蓄勢回路からトリップ阻止リレー２９にトリップ許可信号が出力され、同トリップ阻止リレー２９が閉路される。すると、トリップ回路２２から出力されるトリップ電流によりトリップコイル１８が励磁されケース入り開閉器本体１２が開放される。
【００３５】
ケース入り開閉器本体１２の気密劣化によるケース入り開閉器本体１２内部の結露や浸水等が発生した場合には、ケース入り開閉器本体１２内の低圧回路−アース間の絶縁レベルが低下する。前記絶縁レベルが、例えば１０ＭΩ以下に低下した場合、絶縁監視回路２５から第一の絶縁レベル低下信号が警報表示開路２６及び警報出力回路２７に出力される。すると、地絡継電器１３に設けられた警報表示ランプ（図示略）の点灯及び警報により、地上においてケース入り開閉器本体１２内部の絶縁レベルの低下、即ちケース入り開閉器本体１２内部の結露や浸水等を判断、確認することができる。
【００３６】
前記絶縁レベルがさらに低下して、例えば１ＭΩ以下になった場合には、絶縁監視回路２５から第二の絶縁レベル低下信号がトリップ阻止リレー２９に出力され、同トリップ阻止リレー２９は開路される。このため、トリップ電流はトリップコイル１８に出力されずケース入り開閉器本体１２のトリップ動作は阻止される。即ち、前述のように、ケース入り開閉器本体１２内部の絶縁レベルが１ＭΩ以下になっている状態でのケース入り開閉器本体１２本体の操作には危険が伴う恐れがあるため、ケース入り開閉器本体１２本体がロックされて操作不能となる。
【００３７】
図２に示すように、低圧回路は電柱１０の地上近傍に設置してある制御装置としての地絡継電器１３に制御線ａ, ｂ, ｃ等を介して配線接続されている。このため、ケース入り開閉器本体１２内部の絶縁レベルを地上から容易に測定することが可能であり、配電線１５を停電状態にする必要がない。
【００３８】
従って、本実施形態によれば、以下の効果を得ることができる。
・  ケース入り開閉器本体１２本体内部に設けられている低圧回路の絶縁レベルが、ケース入り開閉器本体１２本体内部の結露や浸水等により大きく影響を受けるのを利用し、その部分を絶縁監視することで、ケース入り開閉器本体１２内部の気密不良による結露や浸水を容易に検出することができる。
【００３９】
・  低圧回路は電柱１０の地上近傍に設置してある地絡継電器１３に制御線ａ, ｂ, ｃ等を介して配線接続されているため、ケース入り開閉器本体１２内部の絶縁レベルを地上から容易に測定することが可能であり、配電線１５を停電状態にする必要がない。
【００４０】
・  制御装置としての地絡継電器１３に絶縁レベル測定機能を付加したことにより、ケース入り開閉器本体１２の管理を地絡継電器１３側で行うことができる。
【００４１】
・  従来のケース入り開閉器本体１２の制御装置においては、過電流検出端子Ｖｃと、制御電源Ｐの接地側である制御電源用端子Ｐ２とが電気的に接続されている場合があった。このため、ケース入り開閉器本体１２本体のアースと低圧回路（この場合、過電流検出端子Ｖｃ）との間に電圧を印加して漏れ電流を測定しようとすると、ケース入り開閉器本体１２本体のアースと過電流検出端子Ｖｃ、即ち、制御電源用端子Ｐ２を介して制御電源のアースとの間に電圧を印加してしまうことになり、低圧回路のアースに対する絶縁レベルが測定不可能であった。従って、低圧回路のアースに対する絶縁レベル測定時においては、その都度、過電流検出端子Ｖｃと制御電源用端子Ｐ２とを切り離して測定する必要があり、常時絶縁監視が不可能であった。
【００４２】
本実施形態においては、過電流検出端子Ｖｃと制御電源用端子Ｐ２とを切り離した回路に構成されているため、従来のように、絶縁レベル測定時毎に過電流検出端子Ｖｃと制御電源用端子Ｐ２とを切り離す必要がなく、常時絶縁監視が可能となっている。
【００４３】
・  制御装置としての地絡継電器１３内に絶縁監視回路２５に連動する警報表示回路２６及び警報出力回路２７を設けたことにより、遠隔地においてもケース入り開閉器本体１２内部の絶縁劣化状態、即ちケース入り開閉器本体１２内部における結露や浸水等を速やかに判断、確認することができる。
【００４４】
・  低圧回路からの漏れ電流を各制御線ａ, ｂ, ｃ及び試験線２１の接続部、即ち絶縁圧着中間スリーブＳ及び導体が露出するマイクロスイッチＭ等の端子部を利用することにより、ケース入り開閉器本体１２のケース１２Ａ内に新たに漏れ用の導体部を形成する必要がなく、何等ケース入り開閉器本体１２に手を加えることなく絶縁劣化状態を検出することができる。
【００４５】
・  前記絶縁監視回路２５は低圧回路−アース間の絶縁レベルが第二の設定値以下になった場合、第２の絶縁レベル低下信号を出力する。すると、前記トリップ阻止リレー（ｂ接点）２９が開放し、開閉部１６のトリップ動作が阻止される。このため、絶縁劣化状態での開閉部１６の開放動作を阻止し、開閉動作に伴う内部短絡事故等への事故波及を防止できる。このとき、前記警報表示回路２６及び警報出力回路２７は、警報を鳴らしたりランプを点灯させたりすると共に、警報出力信号を遠隔地の管理センター等に出力してケース入り開閉器本体１２内部の絶縁レベル低下を外部に報知するようになっている。従って、ケース入り開閉器の安全性を向上させることができる。
【００４６】
尚、前記実施形態は以下のように変更して実施してもよい。
・  本実施形態においては、ケース入り開閉器本体１２本体内部に設けられている低圧回路（過電流リレー１９、トリップコイル１８及び試験電流入力端子Ｌｔ）の全てについての絶縁レベルをケース入り開閉器本体１２のケース１２Ａに対して測定したが、前記低圧回路のうち少なくとも一箇所について絶縁監視するのみでもよい。このようにしても、ケース入り開閉器本体１２内部の絶縁劣化状態を確認することができる。
【００４７】
・  本実施形態においては、ケース入り開閉器本体１２のケース１２Ａを第一種接地することでアースとし、同ケース１２Ａから制御線ｆを引き出して制御装置としての地絡継電器１３の端子Ｅに接続した。そして、低圧回路の絶縁レベルをケース１２Ａに対して測定した。即ち、ケース入り開閉器本体１２のアースからのアース線（制御線ｆ）を別に用意して引き出す構成となっているが、ケース入り開閉器本体１２内部に設けられている零相変流器（ＺＣＴ）２０は地絡電流検出端子Ｚ２側でアースしているため、同地絡電流検出端子Ｚ２を絶縁レベル測定時のアース部として代用してもよい。このようにすれば、ケース入り開閉器本体１２のケース１２Ａ（アース）からアース線（制御線ｆ）を別に用意して引き出す必要がない。
【００４８】
・  本実施形態においては、地絡継電器１３内に絶縁レベル測定機能を付加したが、図１に破線で示すように、別途に絶縁監視回路３０を用意して既設の地絡継電器１３の各制御線接続端子Ｌｔ, Ｖａ, Ｖｂ, Ｖｃ, Ｅ等を利用して接続配置してもよい。この場合、絶縁監視回路３０は各制御線接続端子Ｌｔ, Ｖａ, Ｖｂ, Ｖｃ, Ｅ等に着脱可能な端子部を備えているものとする。このようにすれば、既設の地絡継電器１３を利用して容易に既設のケース入り開閉器本体１２の絶縁劣化状態を検出可能となる。
【００４９】
・  本実施形態においては、前記絶縁監視回路２５の第二の絶縁レベル低下信号の出力にてトリップ阻止リレー（ｂ接点）２９を開放したが、図１に破線で示すように、この機能に加え或いは単独にて第二の絶縁レベル低下信号の出力にて手動操作ハンドルＨに連結される開閉機構部（図示略）に対し、ロック機構Ｒを動作させて現状開閉部１６の投入或いは開放状態に堅持させるようにしてもよい。この場合、絶縁劣化状態のケース入り開閉器本体１２による事故誘引を確実に防止することができる。
【００５０】
・  本実施形態においては、地絡継電器１３に絶縁レベル測定機能を付加して絶縁レベルを常時監視したが、個別に用意した絶縁抵抗計（メガ）等を用いて定期的に絶縁レベルを測定してもよい。本実施形態における低圧回路−アース間の絶縁レベルをメガを用いて測定する場合には、１２５Ｖ、２５０Ｖ及び５００Ｖメガを使用する。
【００５１】
・  本実施形態においては、地絡継電器１３内に絶縁レベル測定機能を付加したが、ケース入り開閉器本体１２に設けてもよい。このようにしても、ケース入り開閉器本体１２内部の絶縁劣化状態を確認することができる。
【００５２】
・  本実施形態においては、前記低圧回路−アース間の絶縁レベルが第二の設定値以下になった場合、絶縁監視回路２５はトリップ阻止リレー（ｂ接点）２９が開放し、開閉部１６のトリップ動作を阻止すると共に、警報表示回路２６及び警報出力回路２７によりケース入り開閉器本体１２内部の絶縁レベル低下を外部に報知する（警報表示）ようにしたが、前記トリップ動作の阻止、及び警報表示のうち少なくとも一方の動作が行われるようにしてもよい。このようにしても、ケース入り開閉器本体１２の安全性を向上させることができる。
【００５３】
【発明の効果】
請求項１〜請求項３に記載の発明によれば、ケース入り開閉器内部の低圧回路とアースとの間の絶縁レベルを監視して、その絶縁レベルが設定値以下になると警報回路が動作し、絶縁レベルの低下を外部に報知することにより、ケース入り開閉器内部の気密不良及びそれに伴う絶縁劣化状態を容易に確認することができる。並びに、トリップ回路による前記開閉器本体のトリップ動作を阻止するようにしたことにより、ケース入り開閉器の安全性を向上させることができる。また、絶縁監視回路を、低圧回路上の非水密状の接続部又は導電部露出箇所と、アースとの間に設けたことにより、ケース入り開閉器内に新たに漏れ用の導体部を形成する必要がなく、何等ケース入り開閉器に手を加えることなく絶縁劣化状態を検出することができる。さらに、ケース入り開閉器本体内の低圧回路は地上近傍に設置されている制御装置の内部回路に制御線を介して配線接続され、同制御装置の内部回路をもってケース入り開閉器本体内部の絶縁抵抗測定が可能なことにより、配電線路を停電状態にすることなく、ケース入り開閉器本体内部の絶縁劣化状態を地上から検出することができる。
【００５４】
請求項２に記載の発明によれば、請求項１に記載の発明の効果に加えて、例えば絶縁レベルが設定値以下になった場合には、絶縁監視回路から絶縁レベル低下信号がトリップ阻止リレーに出力され、同トリップ阻止リレーは開路されるため、トリップ電流はトリップコイルに出力されずケース入り開閉器本体のトリップ動作は阻止される。
【図面の簡単な説明】
【図１】開閉器と制御装置との接続図。
【図２】開閉器と制御装置との使用状態を示す概略図。
【図３】開閉器内部劣化状態と低圧回路の絶縁抵抗との関係を示す表。
【符号の説明】
１２…開閉器、１３…制御装置としての地絡継電器、１９…検出手段を構成する過電流リレー、２０…検知手段を構成する零相変流器（ＺＣＴ）、２３…トリップ回路、２５…絶縁抵抗測定装置としての絶縁監視回路、２６…警報回路を構成する警報表示回路、２７…警報回路を構成する警報出力回路、２８…無電圧検出回路、２９…トリップ阻止リレー（ｂ接点）、Ｋｔ, Ｌｔ…地絡試験電流入出力端子、Ｖａ…トリップ電流出力端子、Ｖｂ, Ｖｃ…過電流検出端子、Ｚ１, Ｚ２…地絡電流検出端子。
【図１】
0004164162.tif 000002
【図２】
0004164162.tif 000003
【図３】
0004164162.tif 000004